(57)【要約】【課題】携帯電話機等に搭載されるモバイルカメラに適した小型かつ薄型で耐衝撃性に優れたレンズ駆動装置を提供する。【解決手段】筒状部１１を有するベース１０、筒状部１１において光軸方向Ｌに往復動自在に支持されたレンズ枠２０、レンズ枠２０を光軸方向に移動させるカムリング３０，捩りコイルスプリング５０，圧縮コイルスプリング７０等からなる駆動機構、カムリング３０を回転駆動するモータ４０、レンズ枠２０を挿通させる孔８１を有しベース１０に固定されるカバー８０を備え、モータ４０は、その回転軸４１が光軸方向Ｌと略垂直となるようにベース１０に固定され、カバー８０は、ベース１０と協働してモータ４０を外側から囲んで保持するように形成されている。これにより、装置の薄型化、小型化が達成され、落下等に対する耐衝撃性が高まり、機能上の信頼性が向上する。【選択図】  図１ 
2006011187.tif 000002
【特許請求の範囲】
【請求項１】
光軸方向に伸長する筒状部を有するベースと、レンズを保持すると共に前記筒状部において光軸方向に往復動自在に支持されたレンズ枠と、前記レンズ枠を光軸方向に移動させる駆動機構と、前記駆動機構に駆動力を及ぼすべく前記ベースに固定されたモータと、前記レンズ枠を挿通させる孔を有すると共に前記ベースに固定されるカバーと、を備え、
前記モータは、その回転軸が光軸方向と略垂直となるように配置され、
前記カバーは、前記ベースと協働して前記モータを外側から囲んで保持するように形成されている、
ことを特徴とするレンズ駆動装置。
【請求項２】
前記駆動機構は、前記筒状部に回動自在に支持されると共に，前記モータにより回転駆動されて前記レンズ枠に光軸方向へのカム作用を及ぼすカム部を有するカムリングと、前記レンズ枠を前記カムリングに向けて付勢するべく前記筒状部の周りに配置された圧縮コイルスプリングと、前記カムリングを一方向に回転付勢する捩りコイルスプリングと、を含む、
ことを特徴とする請求項１記載のレンズ駆動装置。
【請求項３】
前記捩りコイルスプリングは、前記ベースの前面又は前記カムリングの内周側に形成された環状溝に配置されている、
ことを特徴とする請求項２記載のレンズ駆動装置。
【請求項４】
前記モータは、駆動ギヤが固着された回転軸を支持するケースと、前記ケースの一端部に一体的に形成されて前記ベースに締結され得るフランジ部と、前記ケースの他端部に一体的に形成されて前記ベースに嵌合され得る嵌合部と、を含む、
ことを特徴とする請求項１ないし３いずれかに記載のレンズ駆動装置。
【請求項５】
前記カバーは、前記圧縮コイルスプリングを押圧して保持するように形成されている、
ことを特徴とする請求項２ないし４いずれかに記載のレンズ駆動装置。
【請求項６】
前記カバーは、前記カムリング、前記圧縮コイルスプリング、及び前記モータを、光軸方向の前方側から覆うように形成されている、
ことを特徴とする請求項３記載のレンズ駆動装置。
【請求項７】
前記筒状部は、前記カムリングを回動自在に支持する外周面を有し、
前記ベースは、前記カムリングが光軸方向へ移動するのを規制する規制片を有する、
ことを特徴とする請求項１ないし６いずれかに記載のレンズ駆動装置。
【発明の詳細な説明】
【技術分野】
【０００１】
本発明は、携帯電話機、携帯型パーソナルコンピュータ等に搭載されるデジタルカメラに適用されるレンズ駆動装置に関し、特に、オートフォーカス機能あるいはズーム機能を備えたレンズ駆動装置に関する。
【背景技術】
【０００２】
デジタルカメラ等に適用される従来のレンズ駆動装置としては、ＣＣＤ等を固定するベース、ベースに固定された円筒状の固定筒、固定筒の内側において回転自在に配置された円筒状のカム筒、カム筒の内側において光軸方向に往復動自在に配置されレンズを保持するレンズ筒、カム筒を駆動するモータ等を備え、モータの回転によりカム筒が回転すると、そのカム溝がレンズ筒のフォロワピンにカム作用を及ぼして、レンズ筒を光軸方向に移動させて、フォーカシングあるいはズーミングを行うものが知られている（例えば、特許文献１、特許文献２参照）。
【０００３】
【特許文献１】特開２００２−２８６９９３号公報
【特許文献２】特開２００３−０５７７０５号公報
【発明の開示】
【発明が解決しようとする課題】
【０００４】
ところで、上記従来のレンズ駆動装置は、構造的に複雑で、光軸方向の寸法も比較的長く、装置全体としても大きいため、撮影専用のデジタルカメラ等に搭載することはできても、携帯電話機等の小型の携帯情報端末機に搭載するのは困難である。
したがって、携帯電話機等に搭載のデジタルカメラ（モバイルカメラ）において、フォーカシングあるいはズーミングを電動で行うレンズ駆動装置を適用するには、装置の小型化、薄型化等を図る必要がある。
【０００５】
また、従来のレンズ駆動装置では、モータが一端側に形成されたフランジ部のみで固定されているため、カメラの落下等による衝撃でモータが脱落又は破損する虞があった。それ故に、携帯電話機等に搭載される場合、小型化、薄型化等を図りつつ、耐衝撃性を高めると共に機能上の信頼性を向上させる必要があった。
【０００６】
本発明は、上記の事情に鑑みて成されたものであり、その目的とするところは、電動によるフォーカス機能あるいはズーム機能を備え、携帯電話機、携帯型パーソナルコンピュータ等の小型の携帯情報端末機に搭載できるように、軽量化、小型化、薄型化等を図りつつ、耐衝撃性及び機能上の信頼性を高めることのできるレンズ駆動装置を提供することにある。
【課題を解決するための手段】
【０００７】
本発明のレンズ駆動装置は、光軸方向に伸長する筒状部を有するベースと、レンズを保持すると共に筒状部において光軸方向に往復動自在に支持されたレンズ枠と、レンズ枠を光軸方向に移動させる駆動機構と、駆動機構に駆動力を及ぼすべくベースに固定されたモータと、レンズ枠を挿通させる孔を有すると共にベースに固定されるカバーと、を備え、上記モータは、その回転軸が光軸方向と略垂直となるように配置され、上記カバーは、ベースと協働してモータを外側から囲んで保持するように形成されている、ことを特徴としている。
この構成によれば、モータが所定の休止位置から回動すると、駆動機構により、レンズ枠（レンズ）が光軸方向に移動させられて、フォーカシングあるいはズーミングを行う。ここで、モータは、光軸方向と略垂直な方向に回転軸をもつようにベースに配置されて固定されると共にカバーにより外側から囲んで保持されているため、装置の薄型化、小型化を達成されつつ、モータを堅固に固定することができる。したがって、携帯電話機等への搭載が容易であり、又、落下等に対する耐衝撃性が高まり、機能上の信頼性が向上する。
【０００８】
上記構成において、駆動機構は、筒状部に回動自在に支持されると共に，モータにより回転駆動されてレンズ枠に光軸方向へのカム作用を及ぼすカム部を有するカムリングと、レンズ枠をカムリングに向けて付勢するべく筒状部の周りに配置された圧縮コイルスプリングと、カムリングを一方向に回転付勢する捩りコイルスプリングと、を含む、構成を採用することができる。
この構成によれば、モータが所定の休止位置から回動すると、捩りコイルスプリングに付勢されつつ、カムリングが回動して、そのカム部がレンズ枠にカム作用を及ぼし、レンズ枠（レンズ）は、圧縮コイルスプリングに付勢されつつ光軸方向に移動させられて、フォーカシングあるいはズーミングを行う。このように、駆動機構が簡単な構成であるが故に、装置が簡素化されて、装置の薄型化、小型化、低コスト化等が達成される。また、捩りコイルスプリングによりカムリングのガタツキが防止され（バックラッシュ等がなく）、又、圧縮コイルスプリングによりレンズ枠の光軸方向へのガタツキが防止されて、いずれの角度位置からでもフォーカシングあるはいズーミングを高精度に行うことができる。
【０００９】
上記構成において、捩りコイルスプリングは、ベースの前面又はカムリングの内周側に形成された環状溝に配置されている、構成を採用することができる。
この構成によれば、捩りコイルスプリングが環状溝に配置されるため、スペースの有効利用がなされて、部品の集約化による装置の小型化、薄型化が達成され、又、捩りコイルスプリングの脱落等を防止できる。
【００１０】
上記構成において、モータは、駆動ギヤが固着された回転軸を支持するケースと、ケースの一端部に一体的に形成されてベースに締結され得るフランジ部と、ケースの他端部に一体的に形成されてベースに嵌合され得る嵌合部と、を含む、構成を採用することができる。
この構成によれば、モータが、ケースの一端部に形成されたフランジ部と他端部に形成された嵌合部とを介してベースに固定されるため、落下等に対する耐衝撃性がより一層高まり、所望の駆動機能が確実に得られる。
【００１１】
上記構成において、カバーは、圧縮コイルスプリングを押圧して保持するように形成されている、構成を採用することができる。
この構成によれば、カバーは、圧縮コイルスプリングを押圧した状態で保持する押え板の役割をなすため、別個に押え専用の押え板を設ける場合に比べて、部品点数を削減でき、それ故に、組み付け作業の簡素化、低コスト化等を達成することができる。
【００１２】
上記構成において、カバーは、カムリング、圧縮コイルスプリング、及びモータを、光軸方向の前方側から覆うように形成されている、構成を採用することができる。
この構成によれば、カムリング、圧縮コイルスプリング、及びモータを一つのカバーで覆うため、個別に覆うカバーを設ける場合に比べて、部品点数を削減でき、それ故に、組み付け作業の簡素化、低コスト化等を達成することができる。
【００１３】
上記構成において、筒状部は、カムリングを回動自在に支持する外周面を有し、ベースは、カムリングが光軸方向へ移動するのを規制する規制片を有する、構成を採用することができる。
この構成によれば、カムリングを、筒状部の外周面に回動自在に外嵌させると共にベースの規制片により光軸方向への移動を規制することで、光軸方向へのガタツキがなく所望のカム作用が得られるため、フォーカシングあるいはズーミングを高精度に行うことができる。
【発明の効果】
【００１４】
上記構成をなすレンズ駆動装置は、電動によるフォーカス機能あるいはズーム機能を備えつつも、軽量化、小型化、薄型化等が達成され、又、耐衝撃性及び機能上の信頼性等が向上するため、携帯電話機、携帯型パーソナルコンピュータ等の小型の携帯情報端末機に容易に搭載することができる。
【発明を実施するための最良の形態】
【００１５】
以下、本発明の最良の実施形態について、添付図面を参照しつつ説明する。
図１ないし図６は、本発明に係るレンズ駆動装置の一実施形態を示すものであり、図１は装置の外観斜視図、図２は装置の分解斜視図、図３は装置の平面図、図４及び図５は装置の側面図、図６は装置の断面図である。
【００１６】
このレンズ駆動装置は、図１ないし図５に示すように、光軸方向Ｌの寸法が１０ｍｍ以下の厚さで、一辺が２０ｍｍ以下の略矩形の輪郭をなすものであり、光軸方向Ｌに伸長する筒状部１１をもつベース１０、筒状部１１に収容されるレンズ枠２０、筒状部１１の周りに回動自在に設けられた環状のカムリング３０、カムリング３０に駆動力を付与するモータ４０、カムリング３０を一方向に回転付勢する捩りコイルスプリング５０、座面リング６０、レンズ枠２０を光軸方向Ｌの後方に向けて押圧する圧縮コイルスプリング７０、ベース１０に固定されるカバー８０、センサ９０等を備えている。
そして、カムリング３０、圧縮コイルスプリング７０、捩りコイルスプリング５０により、レンズ枠２０を光軸方向Ｌに移動させる駆動機構が構成されている。
【００１７】
ベース１０は、筒状部１１、筒状部１１の後方に形成された略矩形の凹部１２、モータ６０を固定するための端面１３及び嵌合孔１４、筒状部１１の付根領域の前面１０ａに形成された環状溝１５、カムリング３０の座面１６、カムリング３０が光軸方向Ｌに移動するのを規制する３つの規制片１７、カバー８０を締結するための３つのボス部１８、カムリング３０が抜け落ちるのを防止するストッパピン１９、カバー８０を位置決めするための突起１０ｂ、モータ４０を位置決めするための突起１０ｃ等を備えている。
そして、凹部１２には、ガラスフィルタ１００、撮像素子としてのＣＣＤ１１０が配置されるようになっている。
【００１８】
筒状部１１は、外周面１１ａを画定する円筒状をなし、その径方向に貫通すると共に光軸方向Ｌに伸長しかつ前方側Ｆに開口する３つのガイド孔１１ｂ、開口端部に突出して形成された位置決め用の突起１１ｃ等により形成されている。３つのガイド孔１１ｂは、周方向において等角度（１２０度）の間隔で形成されている。
【００１９】
レンズ枠２０は、図２、図３、図６に示すように、内部にレンズＧを保持する円筒部２１、円筒部２１の外周面から径方向外側に向けて突出する３つの突出部２２等により形成されており、レンズＧの前方には所定の絞り口径をなす開口板２３が設けられている。
円筒部２１は、図６に示すように、筒状部１１の内周面に嵌め込まれ（内嵌され）て、光軸方向Ｌに摺動自在に支持されている。
３つの突出部２２は、周方向において等角度（１２０度）の間隔で形成されており、筒状部１１のガイド孔１１ｂに挿通されて、周方向においてガタツキが無く光軸方向Ｌにのみ往復動自在に案内されるようになっている。また、突出部２２は、それぞれ、後方側Ｒの側面が後述するカムリング３０のカム面３４に係合し、前方側Ｆの側面が座面リング６０を介して圧縮コイルスプリング７０の一端部に係合するようになっている。
【００２０】
カムリング３０は、図１、図２、図４ないし図６に示すように、筒状部１１の外周面１１ａに回動自在に（摺動自在に）外嵌される環状部３１、環状部３１の外周面から径方向外側に突出して円弧状に形成された歯車部（ウォームホイール）３２、３つの掛止片３３、環状部３１の前面に形成されたカム部としての３つのカム面３４、環状部３１から径方向外側に突出して形成された被検出片３５等を備えている。
【００２１】
そして、カムリング３０は、掛止片３３がベース１０の規制片１７に掛止されて光軸方向Ｌへの移動が規制された状態で、環状部３１が筒状部１１の外周面１１ａ及びベース１０の座面１６に摺動自在に支持されて、所定の角度範囲で光軸回りに回動自在となっている。
また、３つのカム面３４は、それぞれレンズ枠２０の３つの突出部２２を受けて、光軸方向Ｌにカム作用を及ぼすものである。歯車部３２は、後述するモータ４０のウォーム４３と噛合するものであり、モータ４０が回転することで、ウォーム４３及び歯車部３２を介して、カムリング３０が回転駆動され、カム面３４及び突出部２２を介して、レンズ枠２０が光軸方向Ｌの所望の位置に移動させられるようになっている。
【００２２】
捩りコイルスプリング５０は、図２及び図６に示すように、カムリング３０の内周側でかつベース１０の環状溝１５内に配置されており、図１、図２、図３、図６に示すように、その一端５１がカムリング３０に掛止され、その他端５２がベース１０のボス部１８（の付根部分）に掛止されて、カムリング３０を時計回り（一方向）に回転付勢している。
このように、捩りコイルスプリング５０が、カムリング３０の内周側でかつベース１０の環状溝１５内に配置されているため、スペースの有効利用がなされて、部品の集約化による装置の小型化、薄型化が達成され、又、捩りコイルスプリング５０の脱落等を防止できる。
【００２３】
モータ４０は、ステップモータであり、図１ないし図３、図６に示すように、回転軸４１、回転軸４１を回動自在に支持すると共にコイル及び永久磁石等を囲繞するケース４２、回転軸４１に固着された駆動ギヤとしてのウォーム４３等により形成されている。
ケース４２は、円筒状に形成されると共に、その一端部において略矩形の平板状に一体的に形成されたフランジ部４２ａ、その他端部において円筒状に一体的に形成された嵌合部４２ｂ、その外周面から突出して形成された端子部４２ｃ等を備えている。
フランジ部４２ａは、円柱状の凸部４２ａ´、ネジＢの挿通孔４２ａ´´、突起１０ｃを嵌合させるための位置決め用の孔４２ａ´´´を有する。
尚、モータ４０としては、ステップモータに限らず、ＤＣモータを採用してもよい。
【００２４】
そして、モータ４０は、図１及び図２に示すように、回転軸４１（の軸線Ｓ）が光軸方向Ｌと略垂直となるように方向付けられて、嵌合部４２ｂが嵌合孔１４に嵌合され、孔４２ａ´´´に突起１０ｃが嵌合されつつ、フランジ部４２ａが端面１３に接合されてネジＢにより締結されている。すなわち、モータ４０は、その長手方向（軸線Ｓの方向）がベース１０に沿って配置されるため、光軸方向Ｌにおいて装置を薄型化することができ、又、その長手方向（軸線Ｓの方向）の離れた二ヶ所において、ベース１０に堅固に固定されているため、落下等に対する耐衝撃性が高まり、それ故に、ベース１０の取り付け位置からの位置ずれあるいは脱落等が防止されて、所望の駆動機能が確実に得られる。
【００２５】
圧縮スプリング７０は、図２、図４ないし図６に示すように、座面リング６０を挟んで、突出部２２の前方側に位置するように、筒状部１１の外周面に取り付けられ、カバー８０により押圧されて、所定の付勢力を発生するように圧縮された状態に保持されている。
したがって、圧縮スプリング７０は、レンズ枠２０の突出部２２を光軸方向Ｌの後方側Ｒに向けて付勢してカム面３４に対して常に接触させるように付勢力を及ぼす。
【００２６】
カバー８０は、図１ないし図３に示すように、板金材料あるいは曲げ強度の大きい樹脂板等により形成されており、レンズ枠２０を挿通させる円形の孔８１、位置決め用の切り欠き部８２及び孔８３、モータ４０の端子部４２ｃを露出させる矩形状の開口部８４、モータ４０のフランジ部４２ａの外側に当接して抜け落ちを防止するための嵌合孔８５ａをもつ保持片８５、ネジＢの挿通孔８６等を備えている。
そして、カバー８０は、捩りコイルスプリング５０、カムリング３０、座面リング６０、圧縮コイルスプリング７０、モータ４０等がベース１０に取り付けられた後に、切り欠き８２及び孔８３に突起１１ｃ、１０ｂを嵌合させ、又、嵌合孔８５ａに凸部４２ａ´を嵌合させつつ、ネジＢによりベース１０のボス部１８に締結されるようになっている。
【００２７】
ここで、カバー８０は、レンズ枠２０及びモータ４０の端子部４２ｃを除いて、圧縮コイルスプリング７０、カムリング３０、モータ４０等を光軸方向Ｌの前方側から覆うように形成されると共に、圧縮コイルスプリング７０を押圧して保持し、又、ベース１０と協働してモータ４０を外側から囲んで保持するように形成されている。
【００２８】
すなわち、モータ４０は、そのケース４２がベース１０に固定されているだけでなく、カバー８０の保持片８５により外側から覆われて保持されているため、その取り付けがより堅固になり、落下等に対する耐衝撃性が高まり、機能上の信頼性が向上する。
また、圧縮コイルスプリング７０を押圧した状態で保持する押え板を別個に設ける場合に比べて、部品点数を削減でき、組み付け作業の簡素化、低コスト化等を達成することができ、又、カムリング３０、圧縮コイルスプリング７０、及びモータ４０を一つのカバー８０で覆うため、個別に覆うカバーを設ける場合に比べて、部品点数を削減でき、それ故に、組み付け作業の簡素化、低コスト化等を達成することができる。
【００２９】
センサ９０は、カムリング３０の被検出片３５を検知する光センサであり、レンズ枠２０が沈胴した休止位置にある状態を検出するものである。尚、センサ９０は、ベース１０から突出して形成された取り付け片を介してベース１０上に固定されている。
【００３０】
次に、この装置の組み付け手順について説明する。
先ず、嵌合部４２ｂを嵌合孔１４に嵌合させると共にフランジ部４２ａを端面１３に当接させて、モータ４０をベース１０に組み付け、ネジＢで締結する。
続いて、捩りコイルスプリング５０をベース１０の環状溝１５に配置し、その上方（光軸方向Ｌの前方側）からカムリング３０を筒状部１１（の外周面１１ａ）に外嵌させ、その掛止片３３をベース１０の規制片１７に係合させる。
【００３１】
そして、捩りコイルスプリング５０の一端５１をカムリング３０に掛止し、他端５２をベース１０に掛止する。さらに、ストッパピン１９をベース１０に嵌合させて、被検出片３５がストッパピン１９に当接することで、それ以上の回転を規制してカムリング３０が筒状部１１から抜け落ちないようにする。
【００３２】
続いて、レンズＧを組み付けたレンズ枠２０を筒状部１１の内側に摺動自在に嵌め込むと共に、その突出部２２をガイド１１ｂに摺動自在に嵌め込む。そして、座面リング６０を筒状部１１の周りに取り付け、突出部２２に当接させる。さらに、圧縮コイルスプリング７０を筒状部１１の周りに取り付けて座面リング６０上に載せる。
【００３３】
続いて、圧縮コイルスプリング７０を押圧しつつ、保持片８５をモータ４０のフランジ部４２ａに外側から当接させて、ベース１０に組み付け、ネジＢで締結する。これにより、装置の組み付けが完了する。
このように、装置が少ない部品により構成されるため、組み付け作業を簡単に行うことができ、生産性を向上させることができる。特に、一つのカバー８０が、圧縮コイルスプリング７０を押圧する押え板及びモータ４０の抜け落ちを防止する保持板の役割を兼ねるため、別々の部品で構成する場合に比べて組み付け作業を簡素化できる。
【００３４】
図７は、上記レンズ駆動装置Ｍが、携帯電話機に搭載された実施形態を示すものである。すなわち、携帯電話機２００は、図７に示すように、種々の操作釦２０１ａが配列されると共に内部に種々の電子部品が配置された本体２０１、本体２０１に対して開閉自在に連結され種々の情報を表示するモニター２０２ａが設けられた蓋体２０２、蓋体２０２に配置されたカメラユニット２０３等により形成されている。そして、カメラユニット２０３に本発明のレンズ駆動装置Ｍが適用されている。
このように、薄型化、小型化、軽量化が要求される携帯電話機２００において、本発明のレンズ駆動装置Ｍを容易に搭載することができる。
【００３５】
次に、上記レンズ駆動装置が携帯電話機２００に搭載された場合の動作について説明する。先ず、休止位置において、レンズ枠２０は沈胴した状態にある。
この休止状態において、操作者がカメラユニット２０３で撮影したい場合は、撮影モードに移行するための所定の操作釦２０１ａを操作することにより、モータ４０が回転して、捩りコイルスプリング５０の付勢力によりガタ寄せされつつ、カムリング３０が回転する。
【００３６】
すると、圧縮コイルスプリング７０により付勢されつつ、カム面３４がレンズ枠２０の突出部２２に対して光軸方向Ｌにカム作用を及ぼして、沈動状態（休止位置）にあるレンズ枠（レンズＧ）２０が光軸方向Ｌの前方に向けて適宜移動させられて、自動的に焦点を合わせるフォーカシングが行われる。このフォーカシングが完了すると、操作者は被写体の撮影を行うことができる。
このフォーカシングは、カムリング３０が捩りコイルスプリング５０によりガタ寄せされているため、モータ４０の一方向への回転だけでなく他方向への回転によっても行うことができる。
【００３７】
そして、撮影が終了して、操作者が非撮影モードに移行するための操作釦２０１ａを押すと、モータ４０が他方向に回転して、カムリング３０が元の休止位置に復帰し、レンズ枠２０は沈胴位置に戻る。
【００３８】
図８及び図９は、本発明に係るレンズ駆動装置の他の実施形態を示す分解斜視図及びカバーを外した平面図であり、ベース及びカバーの形状等を変更した以外は前述の実施形態と同一である。したがって、前述の実施形態と同一の構成につては同一の符号を付してその説明を省略する。
【００３９】
すなわち、図８及び図９に示すように、ベース１０´は、モータ４０のケース４２が収容される近傍に形成されたボス部１８、モータ４０の軸線Ｓ方向において端面１３と対向する位置に形成された別の端面１３´等を有する。
また、カバー８０´は、レンズ枠２０を挿通させる孔８１の縁部に形成された３つの折曲片８１ａ、モータ４０のケース４２が収容される近傍に形成されたネジＢの挿通孔８６、保持片８５に形成されたネジＢの挿通孔８５ｂ、端面１３´に当接されるように保持片８５と対向して折り曲げられると共にネジＢの挿通孔８７ａを有する取り付け片８７等を有する。
【００４０】
すなわち、この装置においては、カバー８０´は、モータ４０（のケース４２）の近傍においてベース１０´（ボス部１８）に締結され、又、保持片８５がモータ４０のフランジ部４２ａに当接させられると共にフランジ部４２ａと一緒にネジＢで締結され、さらに、取り付け片８７が端面１３´に当接させられてネジＢで締結されるようになっている。
また、カバー８０´は、その折曲片８１ａが筒状部１１の外周面１１ａに外嵌されて、光軸方向Ｌの前方側への浮き上がり等が確実に防止されるようになっている。
【００４１】
したがって、カバー８０´はベース１０´に対して確実に固定されると共に、モータ４０はベース１０´に対してより一層堅固に固定される。その結果、落下等に対する耐衝撃性が高まり、機能上の信頼性が一層向上する。
【００４２】
上記実施形態においては、一つのレンズ枠２０をカムリング３０で移動させてフォーカシングを行わせる構成を示したが、複数のレンズ枠を相対的に移動させるようにしてズーミングを行わせる構成において本発明を採用してもよい。
上記実施形態においては、駆動源としてステップモータを採用した場合を示したが、これに限定されるものではなく、カムリング３０の回転角度範囲を検出する検出手段（例えば、光センサ等）を設ける場合は、駆動源としてＤＣモータを採用することができる。
【産業上の利用可能性】
【００４３】
以上述べたように、本発明のレンズ駆動装置は、構造の簡略化、小型化、薄型化等が達成されつつ、フォーカシング（あるいはズーミング）を行えるため、携帯電話機、携帯型パーソナルコンピュータ等の小型の携帯情報端末機に適用されるのは勿論のこと、デジタルカメラを備えたその他の情報端末機等においても有用である。
【図面の簡単な説明】
【００４４】
【図１】本発明に係るレンズ駆動装置の一実施形態を示す外観斜視図である。
【図２】図１に示すレンズ駆動装置の分解斜視図である。
【図３】図１に示すレンズ駆動装置の平面図である。
【図４】図１に示すレンズ駆動装置の側面図である。
【図５】図１に示すレンズ駆動装置の側面図である。
【図６】図１に示すレンズ駆動装置の内部を示す断面図である。
【図７】本発明のレンズ駆動装置を携帯電話機に搭載した実施形態を示す外観斜視図である。
【図８】本発明に係るレンズ駆動装置の他の実施形態を示す分解斜視図である。
【図９】図８に示すレンズ駆動装置のカバーを外した状態を示す平面図である。
【符号の説明】
【００４５】
１０，１０´  ベース
１０ａ  前面
１０ｂ，１０ｃ  突起
１１  筒状部
１１ａ  外周面
１１ｂ  ガイド孔
１１ｃ  突起
１２  凹部
１３，１３´  端面
１４  嵌合孔
１５  環状溝
１６  座面
１７  規制片
１８  ボス部
１９  ストッパピン
２０  レンズ枠
２１  円筒部
２２  突出部
２３  開口板
Ｇ  レンズ
３０  カムリング（駆動機構）
３１  環状部
３２  歯車部
３３  掛止片
３４  カム面（カム部）
３５  被検出片
４０  モータ
４１  回転軸
４２  ケース
４２ａ  フランジ部
４２ａ´  凸部
４２ａ´´  挿通孔
４２ａ´´´  孔
４２ｂ  嵌合部
４２ｃ  端子部
４３  ウォーム（駆動ギヤ）
５０  捩りコイルスプリング（駆動機構）
６０  座面リング
７０  圧縮コイルスプリング（駆動機構）
８０，８０´  カバー
８１  孔
８１ａ  折曲片
８２  切り欠き
８３  孔
８４  開口部
８５  保持片
８５ａ  嵌合孔
８５ｂ  挿通孔
８６  挿通孔
８７  取り付け片
８７ａ  挿通孔
９０  センサ
１１０  ＣＣＤ
２００  携帯電話機
２０３  カメラユニット
Ｍ  レンズ駆動装置
Ｌ  光軸方向
Ｓ  回転軸の軸線
Ｂ  ネジ
【図１】
2006011187.tif 000003
【図２】
2006011187.tif 000004
【図３】
2006011187.tif 000005
【図４】
2006011187.tif 000006
【図５】
2006011187.tif 000007
【図６】
2006011187.tif 000008
【図７】
2006011187.tif 000009
【図８】
2006011187.tif 000010
【図９】
2006011187.tif 000011